【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
少なくとも１以上の印刷装置、及び印刷データを蓄積し、かつ前記印刷装置から印刷出力要求が生じた場合に蓄積された印刷データを当該印刷装置に送信する印刷管理装置がネットワークを介して接続された印刷システムであって、
前記印刷装置は、
印刷データを要求するユーザを識別するユーザ識別情報を受け付けるユーザ情報受付手段と、
前記ユーザ情報受付手段によって受け付けた当該ユーザ識別情報に対応するユーザが使用可能な印刷設定を示す印刷制限情報を、該印刷装置の記憶手段から取得する印刷制限情報取得手段と、
印刷データの印刷設定を示す印刷データ情報を要求することを示す要求情報に前記印刷管理装置が応答することで、前記印刷管理装置から、当該要求情報に対応する前記印刷データ情報を受信する印刷データ情報受信手段と、
前記印刷データ情報受信手段によって受信した前記印刷データ情報で示される印刷設定が、前記印刷制限情報取得手段によって取得した前記印刷制限情報を満たさない場合、前記印刷制限情報に従って、前記印刷データ情報受信手段によって受け付けた前記印刷設定の変更を決定する印刷設定情報決定手段と、
前記印刷管理装置に蓄積された印刷データの印刷設定を変更すべく、前記印刷設定情報決定手段によって決定された前記印刷設定の変更を前記印刷管理装置に送信する送信手段と、
前記印刷管理装置から印刷データを受け付け、当該印刷データの印刷出力を実行する印刷出力手段とを備え、
前記印刷管理装置は、
印刷要求元から印刷データを受け付ける印刷データ受付手段と、
前記印刷データ受付手段によって受け付けた前記印刷データ及び前記印刷データの印刷設定を示す印刷データ情報を記憶する印刷データ記憶手段と、
前記印刷装置から受信した前記要求情報に応じて、前記印刷データ記憶手段に記憶されている前記印刷データ情報を、前記印刷装置へ送信する印刷データ情報送信手段と、
前記印刷装置から決定された前記印刷設定の変更を受信した場合に、前記変更に従って、前記印刷データ記憶手段に記憶された前記印刷データを変更する印刷データ変更手段と、
前記印刷データ変更手段によって変更された前記印刷データを印刷装置へ送信する印刷データ送信手段とを備えたことを特徴とする印刷システム。
【請求項２】
前記印刷設定情報決定手段は、前記印刷データ情報受信手段によって受信した前記印刷データ情報で示される印刷設定が、前記印刷制限情報取得手段によって取得した前記印刷制限情報を満たさない場合、前記印刷制限情報に従って、前記印刷データ情報受信手段によって受け付けた前記印刷設定の変更内容を含めた変更を決定することを特徴とする請求項１記載の印刷システム。
【請求項３】
前記印刷装置は、前記印刷データ情報受信手段によって受信した前記印刷データ情報に従って、印刷データのリスト表示を行うリスト表示手段をさらに備え、
前記リスト表示手段は、前記印刷制限情報を満たさない印刷設定を有する印刷データを、前記印刷制限情報を満たす印刷設定を有する印刷データと識別可能に表示することを特徴とする請求項１又は２に記載の印刷システム。
【請求項４】
前記印刷管理装置の印刷データ変更手段は、前記変更された印刷設定に従って、前記印刷データ記憶手段に記憶された前記印刷データ内の印刷設定を変更することを特徴とする請求項１乃至３のいずれか１項に記載の印刷システム。
【請求項５】
前記印刷管理装置の印刷データ変更手段は、前記変更された印刷設定に従って、前記印刷データ記憶手段に記憶された前記印刷データ内の描画データの色属性を変更することを特徴とする請求項１乃至４のいずれか１項に記載の印刷システム。
【請求項６】
前記印刷装置は、
前記印刷管理装置に蓄積された印刷データを取得する取得手段と、
前記取得手段で取得した印刷データの印刷設定が、前記印刷制限情報取得手段によって取得した前記印刷制限情報を満たさない場合、前記印刷制限情報に従って、前記印刷データの印刷設定を変更する印刷設定情報変更手段と、
前記印刷設定情報変更手段により変更された印刷設定に従って、前記印刷データを変更する第２印刷データ変更手段と、
前記印刷データの印刷出力を実行する印刷出力手段とを備え、
前記印刷管理装置は、
前記印刷装置からの要求に応じて前記印刷データ記憶手段に記憶される印刷データを前記印刷装置へ送信する第２印刷データ送信手段とを備えたことを特徴とする請求項１乃至５のいずれか１項に記載の印刷システム。
【請求項７】
前記印刷システムは、前記印刷装置、前記印刷管理装置、及び前記印刷制限情報を記憶管理する認証情報処理装置がネットワークを介して接続されており、
前記印刷装置は、
前記ユーザ情報受付手段によって受け付けた前記ユーザ識別情報をもとに、前記認証情報処理装置から当該ユーザ識別情報に対応する印刷制限情報を受信するユーザ情報受信手段を、更に備え、
該印刷装置の記憶手段は、前記ユーザ情報受信手段によって受信した印刷制限情報を記憶することを特徴とする請求項１乃至請求項６の何れか１項に記載の印刷システム。
【請求項８】
印刷データを蓄積し、かつ印刷装置から印刷出力要求が生じた場合に蓄積された印刷データを当該印刷装置に送信する印刷管理装置とネットワークを介して接続された印刷装置であって、
印刷データを要求するユーザを識別するユーザ識別情報を受け付けるユーザ情報受付手段と、
当該ユーザ識別情報に対応するユーザが使用可能な印刷装置の印刷制限情報を記憶するユーザ情報記憶手段と、
前記ユーザ情報受付手段によって受け付けた当該ユーザ識別情報に対応するユーザが使用可能な印刷設定を示す印刷制限情報を、該印刷装置の記憶手段から取得する印刷制限情報取得手段と、
印刷データの印刷設定を示す印刷データ情報を要求することを示す要求情報に応答して、前記印刷管理装置から、当該要求情報に対応する前記印刷データ情報を受信する印刷データ情報受信手段と、
前記印刷データ情報受信手段によって受信した前記印刷データ情報で示される印刷設定が、前記印刷制限情報取得手段によって取得した前記印刷制限情報を満たさない場合、前記印刷制限情報に従って、前記印刷データ情報受信手段によって受け付けた前記印刷設定の変更を決定する印刷設定情報決定手段と、
前記印刷管理装置に蓄積された印刷データの印刷設定を変更すべく、前記印刷設定情報決定手段によって決定された印刷設定の変更を前記印刷管理装置に送信する送信手段と、
前記印刷管理装置から前記印刷設定の変更に従って変更された印刷データを受付け、当該印刷データの印刷出力を実行する印刷出力手段と、
を備えることを特徴とする印刷装置。
【請求項９】
少なくとも１以上の印刷装置とネットワークを介して接続され、前記印刷装置から印刷出力要求が生じた場合に蓄積された印刷データを当該印刷装置に送信する印刷管理装置であって、
印刷要求元から印刷データを受け付ける印刷データ受付手段と、
前記印刷データ受付手段によって受け付けた前記印刷データ及び前記印刷データの印刷設定を示す印刷データ情報を記憶する印刷データ記憶手段と、
前記印刷装置から受信した、印刷データの印刷設定を示す印刷データ情報を要求することを示す要求情報に応じて、前記記憶手段に記憶されている印刷データ情報を、前記印刷装置へ送信する印刷データ情報送信手段と、
前記印刷装置から変更が決定された印刷設定を受信した場合に、前記変更に従って、前記印刷データ記憶手段に記憶された前記印刷データ情報を変更する印刷データ変更手段と、
前記印刷データ変更手段によって変更された前記印刷データ情報を印刷装置へ送信する印刷データ送信手段とを備えたことを特徴とする印刷管理装置。
【請求項１０】
少なくとも１以上の印刷装置、及び印刷データを蓄積し、かつ前記印刷装置から印刷出力要求が生じた場合に蓄積された印刷データを当該印刷装置に送信する印刷管理装置がネットワークを介して接続された印刷システムにおける印刷方法であって、
前記印刷装置において、
印刷データを要求するユーザを識別するユーザ識別情報を受け付けるユーザ情報受付ステップと、
前記ユーザ情報受付ステップによって受け付けた当該ユーザ識別情報に対応するユーザが使用可能な印刷設定を示す印刷制限情報を、該印刷装置の記憶手段から取得する印刷制限情報取得ステップと、
印刷データの印刷設定を示す印刷データ情報を要求することを示す要求情報に前記印刷管理装置が応答することで、前記印刷管理装置から、当該要求情報に対応する前記印刷データ情報を受信する印刷データ情報受信ステップと、
前記印刷データ情報受信ステップによって受信した前記印刷データ情報で示される印刷設定が、前記印刷制限情報取得ステップによって取得した前記印刷制限情報を満たさない場合、前記印刷制限情報に従って、前記印刷データ情報受信ステップによって受け付けた前記印刷設定の変更を決定する印刷設定情報決定ステップと、
前記印刷管理装置に蓄積された印刷データの印刷設定を変更すべく、前記印刷設定情報決定ステップによって決定された前記印刷設定の変更を前記印刷管理装置に送信する送信ステップと、
前記印刷管理装置から印刷データを受け付け、当該印刷データの印刷出力を実行する印刷出力ステップと、を実行し、
前記印刷管理装置において、
印刷要求元から印刷データを受け付ける印刷データ受付ステップと、
前記印刷データ受付ステップによって受け付けた前記印刷データ及び前記印刷データの印刷設定を示す印刷データ情報を記憶する印刷データ記憶ステップと、
前記印刷装置から受信した前記要求情報に応じて、前記印刷データ記憶ステップに記憶されている前記印刷データ情報を、前記印刷装置へ送信する印刷データ情報送信ステップと、
前記印刷装置から決定された前記印刷設定の変更を受信した場合に、前記変更に従って、前記印刷データ記憶ステップに記憶された前記印刷データを変更する印刷データ変更ステップと、
前記印刷データ変更ステップによって変更された前記印刷データを印刷装置へ送信する印刷データ送信手段と、を実行することを特徴とする印刷方法。
【請求項１１】
少なくとも１以上の印刷装置、及び印刷データを蓄積し、かつ前記印刷装置から印刷出力要求が生じた場合に蓄積された印刷データを当該印刷装置に送信する印刷管理装置がネットワークを介して接続された印刷システムで実行されるプログラムあって、
前記印刷装置を、
印刷データを要求するユーザを識別するユーザ識別情報を受け付けるユーザ情報受付手段と、
前記ユーザ情報受付手段によって受け付けた当該ユーザ識別情報に対応するユーザが使用可能な印刷設定を示す印刷制限情報を、該印刷装置の記憶手段から取得する印刷制限情報取得手段と、
印刷データの印刷設定を示す印刷データ情報を要求することを示す要求情報に前記印刷管理装置が応答することで、前記印刷管理装置から、当該要求情報に対応する前記印刷データ情報を受信する印刷データ情報受信手段と、
前記印刷データ情報受信手段によって受信した前記印刷データ情報で示される印刷設定が、前記印刷制限情報取得手段によって取得した前記印刷制限情報を満たさない場合、前記印刷制限情報に従って、前記印刷データ情報受信手段によって受け付けた前記印刷設定の変更を決定する印刷設定情報決定手段と、
前記印刷管理装置に蓄積された印刷データの印刷設定を変更すべく、前記印刷設定情報決定手段によって決定された前記印刷設定の変更を前記印刷管理装置に送信する送信手段と、
前記印刷管理装置から印刷データを受け付け、当該印刷データの印刷出力を実行する印刷出力手段として機能させ、
前記印刷管理装置を、
印刷要求元から印刷データを受け付ける印刷データ受付手段と、
前記印刷データ受付手段によって受け付けた前記印刷データ及び前記印刷データの印刷設定を示す印刷データ情報を記憶する印刷データ記憶手段と、
前記印刷装置から受信した前記要求情報に応じて、前記印刷データ記憶手段に記憶されている前記印刷データ情報を、前記印刷装置へ送信する印刷データ情報送信手段と、
前記印刷装置から決定された前記印刷設定の変更を受信した場合に、前記変更に従って、前記印刷データ記憶手段に記憶された前記印刷データを変更する印刷データ変更手段と、
前記印刷データ変更手段によって変更された前記印刷データを印刷装置へ送信する印刷データ送信手段として機能させるためのプログラム。
【請求項１２】
請求項１１に記載されたプログラムを記録したコンピュータ読取可能な記録媒体。
【手続補正２】
【補正対象書類名】明細書
【補正対象項目名】０００７
【補正方法】変更
【補正の内容】
【０００７】
本発明は、少なくとも１以上の印刷装置、及び印刷データを蓄積し、かつ前記印刷装置から印刷出力要求が生じた場合に蓄積された印刷データを当該印刷装置に送信する印刷管理装置がネットワークを介して接続された印刷システムであって、前記印刷装置は、印刷データを要求するユーザを識別するユーザ識別情報を受け付けるユーザ情報受付手段と、前記ユーザ情報受付手段によって受け付けた当該ユーザ識別情報に対応するユーザが使用可能な印刷設定を示す印刷制限情報を、該印刷装置の記憶手段から取得する印刷制限情報取得手段と、印刷データの印刷設定を示す印刷データ情報を要求することを示す要求情報に前記印刷管理装置が応答することで、前記印刷管理装置から、当該要求情報に対応する前記印刷データ情報を受信する印刷データ情報受信手段と、前記印刷データ情報受信手段によって受信した前記印刷データ情報で示される印刷設定が、前記印刷制限情報取得手段によって取得した前記印刷制限情報を満たさない場合、前記印刷制限情報に従って、前記印刷データ情報受信手段によって受け付けた前記印刷設定の変更を決定する印刷設定情報決定手段と、前記印刷管理装置に蓄積された印刷データの印刷設定を変更すべく、前記印刷設定情報決定手段によって決定された前記印刷設定の変更を前記印刷管理装置に送信する送信手段と、前記印刷管理装置から印刷データを受け付け、当該印刷データの印刷出力を実行する印刷出力手段とを備え、前記印刷管理装置は、印刷要求元から印刷データを受け付ける印刷データ受付手段と、前記印刷データ受付手段によって受け付けた前記印刷データ及び前記印刷データの印刷設定を示す印刷データ情報を記憶する印刷データ記憶手段と、前記印刷装置から受信した前記要求情報に応じて、前記印刷データ記憶手段に記憶されている前記印刷データ情報を、前記印刷装置へ送信する印刷データ情報送信手段と、前記印刷装置から決定された前記印刷設定の変更を受信した場合に、前記変更に従って、前記印刷データ記憶手段に記憶された前記印刷データを変更する印刷データ変更手段と、前記印刷データ変更手段によって変更された前記印刷データを印刷装置へ送信する印刷データ送信手段とを備えたことを特徴とする。